(57)【要約】【課題】  クロスフローファンを構成するファンブレードの内側に付着した塵埃を内側から除去できる清掃ユニットを備えた空気調和機を提供する。【解決手段】  吸込口ａと吹出口ｂとを結ぶ空気通路にクロスフローファン１を設けてなる空気調和機において、前記クロスフローファン１の内部に、同クロスフローファン１を内側から清掃する清掃ユニット３が設けられてなることを特徴としている。これにより、ファンブレードの内側に付着した塵埃を内側から除去できる。【選択図】  図１
2009014264.tif 000002
【特許請求の範囲】
【請求項１】
吸込口と吹出口とを結ぶ空気通路にクロスフローファンを設けてなる空気調和機において、
前記クロスフローファンの内部に、同クロスフローファンを内側から清掃する清掃ユニットが設けられてなることを特徴とする空気調和機。
【請求項２】
前記清掃ユニットが、前記クロスフローファンを構成するファンブレードに向けて出没可能なブラシを備えたブラシ部と、同ブラシに集めた塵埃を除去片により除去して溜める貯留部とからなり、清掃時に、前記クロスフローファンを起動して前記ファンブレードに前記ブラシを当接し、清掃終了時に、前記クロスフローファンを停止して前記ファンブレードから前記ブラシを引き離すとともに、同ブラシに集めた塵埃を除去することを特徴とする請求項１に記載の空気調和機。
【発明の詳細な説明】
【技術分野】
【０００１】
本発明は、クロスフローファンを備えた空気調和機に係わり、より詳細には、クロスフローファンを清掃する清掃ユニットの構造に関する。
【背景技術】
【０００２】
従来の空気調和機に用いられるクロスフローファンの清掃に関し、特開２００６−２９９９４９号公報に記載されているように、前記クロスフローファンの掃除が容易に行なえるようにした前記クロスフローファン付きの機器として、図６に示すように、外周に複数のファンブレードＡを有し、室内空気を吸引してこれを送風する前記クロスフローファンＢをファンケースＦ内に備えたもので、前記クロスフローファンＢには、駆動手段Ｃと該駆動手段Ｃによって待機位置から掃除位置へ可動される可動板Ｄと、この可動板Ｄに備えられたブラシＥとで構成された自動清掃機能を備えたので、前記クロスフローファンＢが自動的に掃除され、ファンブレードＡに付着する綿塵等が除去されるので清潔な状態を維持できるとともに、綿塵等の付着による送風量の低下を防止できるものが知られている（例えば、特許文献１参照。）。
【０００３】
このものにおいて、上述したように、駆動手段Ｃによって待機位置から掃除位置へ可動される可動板Ｄに備えたブラシＥよって、図６に示す矢印のように回転する前記クロスフローファンＢは、同クロスフローファンＢの外周面側から、同クロスフローファンＢを構成する複数のファンブレードＡに付着した綿塵等の塵埃が自動的に除去されるようになっている。
【０００４】
しかしながら、前記クロスフローファンＢの構造上、空気調和機内部の空気通路を流通する空気中に含まれた綿塵等の塵埃は、前記クロスフローファンＢを構成する複数のファンブレードＡの外側に限らず内側にも付着する。
【０００５】
そのため、上述した背景技術のように、前記クロスフローファンＢの外周面側から綿塵等の塵埃を除去していたのでは、前記ファンブレードＡの内側に付着した綿塵等の塵埃を充分に除去することができなかったり、また、前記空気通路内に綿塵等の塵埃が飛び散ってしまうおそれがあった。
【特許文献１】特開２００６−２９９９４９号公報
【発明の開示】
【発明が解決しようとする課題】
【０００６】
そこで、本発明は上述した課題を解決するためになされたものであって、クロスフローファンを構成するファンブレードの内側に付着した塵埃を内側から除去できるようにした空気調和機を提供することを目的とする。
【課題を解決するための手段】
【０００７】
上述した目的を達成するため、本発明は以下に示す特徴を備えている。
【０００８】
吸込口と吹出口とを結ぶ空気通路にクロスフローファンを設けてなる空気調和機において、
前記クロスフローファンの内部に、同クロスフローファンを内側から清掃する清掃ユニットが設けられてなることを特徴としている。
【０００９】
また、前記清掃ユニットが、前記クロスフローファンを構成するファンブレードに向けて出没可能なブラシを備えたブラシ部と、同ブラシに集めた塵埃を除去片により除去して溜める貯留部とからなり、清掃時に、前記クロスフローファンを起動して前記ファンブレードに前記ブラシを当接し、清掃終了時に、前記クロスフローファンを停止して前記ファンブレードから前記ブラシを引き離すとともに、同ブラシに集めた塵埃を除去することを特徴としている。
【発明の効果】
【００１０】
本発明によれば、クロスフローファンの内部に清掃ユニットを設けることで、同クロスフローファンを構成するファンブレードの内側に付着した塵埃を内側から除去できるようにした空気調和機を提供できる。
【発明を実施するための最良の形態】
【００１１】
次に、本発明の実施形態について図面を参照しながら説明する。
【００１２】
図１は本発明による空気調和機の説明図で、（Ａ）は斜視図、（Ｂ）は断面図であり、図２は本発明による空気調和機の要部説明図で、（Ａ）はクロスフローファンおよびその内部に設けられた清掃ユニットを示す断面図、（Ｂ）はクロスフローファンから清掃ユニットを取り外す状態を示す断面図であり、図３は本発明による空気調和機の要部説明図で、（Ａ）はクロスフローファンおよびその内部に設けられた清掃ユニットを示す拡大断面図、（Ｂ）は清掃ユニットを示す分解斜視図、（Ｃ）は清掃ユニットのブラシ部を示す斜視図であり、図４は清掃ユニットを示す拡大断面図であり、図５は清掃ユニットの要部説明図で、（Ａ）は斜視図、（Ｂ）は断面図である。
【００１３】
本発明による空気調和機は、図１および図２に示すように、吸込口ａと吹出口ｂとを結ぶ空気通路に、エアフィルタｃと熱交換器ｄと駆動モータ２に連結されたクロスフローファン１とを設け、同クロスフローファン１の内部に清掃ユニット３を設けた構成になっている。
【００１４】
前記吸込口ａから吸い込まれた空気は、その中に含まれた塵埃が前記エアフィルタｃを通過することによって除去され、前記熱交換器ｄによって熱交換された後、前記クロスフローファン１により前記吹出口ｂから被空調室に吹き出されるようになっている。
【００１５】
前記吸込口ａから吸い込まれた空気中の埃は、その大半が前記エアフィルタｃによって除去されるが、同エアフィルタｃで除去しきれなかった微細な塵埃の一部は、前記熱交換器ｄによって熱交換された後、前記クロスフローファン１を汚す汚れとして付着してしまうことになる。
【００１６】
前記クロスフローファン１に付着する汚れは、同クロスフローファン１を構成する複数のファンブレード１ａの外側に限らず、内側に、とくに内側の先端部に付着することから、同クロスフローファン１の内部に清掃ユニット３を設けることによって付着した塵埃を内側から除去できるようにしている。
【００１７】
以下、前記清掃ユニット３の構成について、添付図に基づいて詳細に説明する。
前記清掃ユニット３は、図１乃至図５に示すように、前記クロスフローファン１を構成するファンブレード１ａに向けて出没可能なブラシ４を備えたブラシ部５と、同ブラシ４に集めた塵埃Ｇを除去片６により除去して溜める貯留部７とからなり、一端が前記クロスフローファン１の一側部に設けられた支持部８によって回転可能に、且つ回転軸方向に着脱可能に支持され、他端が前記クロスフローファン１の他側部に設けられたベアリングからなる支持部材９によって回転可能に、且つ回転軸方向に挿脱可能に支持されている。
【００１８】
前記ブラシ４は、図３（Ｂ）および図３（Ｃ）に示すように、前記ブラシ部５に巻き取られる巻き取りシート４ａと、同巻き取りシート４ａの先端部に植設された植毛４ｂとで構成されており、同植毛４ｂが前記ファンブレード１ａに内側から当接して、同ファンブレード１ａに付着した塵埃を集めることになる。
【００１９】
なお、前記清掃ユニット３を示す図３（Ｂ）において、前記ブラシ４を備えたブラシ部５の一端に連結されるステッピングモータ５ａを図示する一方、前記支持部材９によって支持される前記清掃ユニット３の他端の詳細形状の図示については省略している。
【００２０】
前記清掃ユニット３は、図２（Ａ）に示すように、前記支持部８および前記支持部材９によって支持されることにより、前記クロスフローファン１が前記駆動モータ２によって駆動され回転した際、同クロスフローファン１といっしょに回ってしまわないようになっている。
【００２１】
これにより、前記ブラシ４は、前記クロスフローファン１を構成するファンブレード１ａに向けて延出することにより、先端部を構成する前記植毛４ｂが回転する同クロスフローファン１のファンブレード１ａに内側から当接して、該箇所に付着した塵埃Ｇを集めるとともに、集めた塵埃Ｇを前記貯留部７に溜めることができるようになる。
【００２２】
なお、前記貯留部７に溜められた塵埃Ｇは、前記クロスフローファン１の他側から前記清掃ユニット３を取り外し、取り外した同清掃ユニット３から取り出して外部に廃棄できるようになっている。
【００２３】
次に、上述した清掃ユニット３の構成に基づいて、同清掃ユニット３の清掃動作について説明する。
【００２４】
前記清掃ユニット３は、空気調和機の運転停止時および通常運転時には、前記ブラシ部５に備えたブラシ４が前記クロスフローファン１を構成する複数のファンブレード１ａに向けて突出しないので、前記ブラシ４の先端部を構成する植毛４ｂが前記クロスフローファン１のファンブレード１ａに接触することがない。
【００２５】
なお、通常運転時に前記クロスフローファン１を駆動した際、同クロスフローファン１が回転するのに対し、前記清掃ユニット３は、一側が前記クロスフローファン１の一側部をなす端版１ｂに設けられた支持部８によって回転可能に、且つ回転軸方向に着脱可能に支持される一方、他端が前記クロスフローファン１の他側部をなす端版１ｂに設けられた取付穴１ｃに取り付けられるベアリングからなる支持部材９によって回転可能に、且つ回転軸方向に挿脱可能に支持されている。
【００２６】
前記清掃ユニット３は、一側が前記支持部８によって回転可能に支持され、他側が前記支持部材９によって回転可能に支持されているので、前記クロスフローファン１が、同クロスフローファン１の駆動軸１ｄに連結された前記駆動モータ２によって駆動されても回転することはない。
【００２７】
また、前記ベアリングからなる支持部材９は、図２（Ａ）および図２（Ｂ）に示すように、外形部が前記清掃ユニット３よりも少許大径のものであって、前記端版１ｂに形成された取付穴１ｃに着脱可能に設けられており、これによって、前記支持部材９が図２（Ｂ）に示す矢印ａのように前記取付穴１ｃから取り外されるとともに、同取付穴１ｃから前記清掃ユニット３を取り出すことによって、同清掃ユニット３の貯留部７に貯留した塵埃を外部に排出することができる。
【００２８】
前記清掃ユニット３は、前記クロスフローファン１を清掃する清掃時に、第一ケーシング３ｃ内でステッピングモータ５ａに連結された前記ブラシ部５が回転して、図３に示す矢印ｃのように、前記ブラシ４の先端部を構成する植毛４ｂが、前記クロスフローファン１を構成するファンブレード１ａに向けて突出して、同ファンブレード１ａに内側から接触する。
【００２９】
同時に、前記クロスフローファン１が前記駆動モータ２によって駆動され、図３に示す矢印ｂの方向に低速で回転することによって、同クロスフローファン１を構成するファンブレード１ａの内側に付着していた塵埃Ｇが前記ブラシ４に集められることになる。
【００３０】
次に、前記ステッピングモータ５ａに連結された前記ブラシ部５が逆回転して、図４に示す矢印ｄのように、突出していた前記ブラシ４が、突出する以前のように前記ブラシ部５に巻き取られた位置に復帰することになる。
【００３１】
その際、前記ブラシ４に集められていた塵埃Ｇは、同ブラシ４から前記除去片６によって取り除かれると同時に前記貯留部７に溜められることになる。
【００３２】
前記除去片６は、枢支部６ａに付勢ばね６ｂを備えて、図４に示す矢印のように付勢されるようになっており、前記ブラシ４の巻き取りシート４ａが前記ブラシ部５に巻き取られた位置に復帰する際、同ブラシ４に集められていた塵埃Ｇを効果的に取り除くことができて、前記貯留部７に溜めることができる。
【００３３】
なお、前記貯留部７は、前記第一ケーシング３ｃの上部および前記除去片６と、枢支部７ａに付勢ばね７ｂを備えて図４に示す矢印のように付勢され、対をなす開閉可能な第二ケーシング３ｄ，３ｄ’とからなる構成になっており、同第二ケーシング３ｄ，３ｄ’の相対向する先端部には、前記ブラシ４が塵埃Ｇを集めたままで通過できるスリット状の開口部３ｅが形成されている。
【００３４】
前記貯留部７に溜められた塵埃Ｇは、図２（Ｂ）に示す矢印ａのように、前記清掃ユニット３が前記クロスフローファン１から取り外された後、図５（Ａ）および図５（Ｂ）に示す矢印ｅのように、前記付勢ばね７ｂによる矢印のような付勢力に抗して、前記枢支部７ａを中心に前記第二ケーシング３ｄ，３ｄ’を開くことにより、前記貯留部７を開放して外部に廃棄できることになる。
【００３５】
また、前記クロスフローファン１は、図示しないファンケーシング内に収容されて、同ファンケーシングの両側壁面で回転自在に支持されており、前記清掃ユニット３が前記クロスフローファン１から取り外される際、前記支持部材９および前記清掃ユニット３の側部が対向する位置に設けられた、図示しないファンケーシングの挿脱口を使って取り外されるようになっており、同挿脱口は開閉蓋によって開閉されるようになっている。
【００３６】
以上説明したように、本構成によれば、前記クロスフローファン１の内部に前記清掃ユニット３を設けることで、同クロスフローファン１を構成する前記ファンブレード１ａの内側に付着した塵埃を内側から除去できるようにした空気調和機となる。
【図面の簡単な説明】
【００３７】
【図１】本発明による空気調和機の説明図で、（Ａ）は斜視図であり、（Ｂ）は断面図である。
【図２】本発明による空気調和機の要部説明図で、（Ａ）はクロスフローファンおよびその内部に設けられた清掃ユニットを示す断面図であり、（Ｂ）はクロスフローファンから清掃ユニットを取り外す状態を示す断面図である。
【図３】本発明による空気調和機の要部説明図で、（Ａ）はクロスフローファンおよびその内部に設けられた清掃ユニットを示す拡大断面図であり、（Ｂ）は清掃ユニットを示す分解斜視図であり、（Ｃ）は清掃ユニットのブラシ部を示す斜視図である。
【図４】清掃ユニットを示す拡大断面図である。
【図５】清掃ユニットの要部説明図で、（Ａ）は斜視図であり、（Ｂ）は断面図である。
【図６】従来例によるクロスフローファン付き機器の説明図である。
【符号の説明】
【００３８】
ａ  吸込口
ｂ  吹出口
ｃ  エアフィルタ
ｄ  熱交換器
１  吸込口
１ａ  ファンブレード
１ｂ  端板
１ｃ  取付穴
１ｄ  駆動軸
２  駆動モータ
３  清掃ユニット
３ａ  一端
３ｂ  他端
３ｃ  第一ケーシング
３ｄ  第二ケーシング
３ｄ’  第二ケーシング
３ｅ  開口部
４  ブラシ
４ａ  巻き取りシート
４ｂ  植毛
５  ブラシ部
５ａ  ステッピングモータ
６  除去片
６ａ  枢支部
６ｂ  付勢ばね
７  貯留部
７ａ  枢支部
７ｂ  付勢ばね
８  支持部
９  支持部材
Ｇ  塵埃
【図１】
2009014264.tif 000003
【図２】
2009014264.tif 000004
【図３】
2009014264.tif 000005
【図４】
2009014264.tif 000006
【図５】
2009014264.tif 000007
【図６】
2009014264.tif 000008